(57)【特許請求の範囲】
【請求項１】
二つの人工衛星から同時に電波を受信し、指定された人工衛星についての受信信号を出力する受信アンテナに対して、人工衛星指定用の衛星選択信号を供給すると共に、該受信アンテナから供給される前記受信信号の受信状態を表示する受信状態表示装置であって、
前記受信アンテナから入力される受信信号から、予め設定された指定チャンネルの信号を抽出する選局手段と、
該選局手段にて抽出された信号の信号レベルを検出するレベル検出手段と、
前記人工衛星の指定が交互に切り替わるように前記衛星選択信号を生成する選択信号生成手段と、
前記レベル検出手段にて検出される両人工衛星についての信号レベルに基づき、両信号レベルの加算値から両信号レベルの差分を減じることにより表示レベルを算出する表示レベル算出手段と、
該表示レベル算出手段にて算出された表示レベルを、前記受信信号の受信状態として表示する表示手段と、
を備えることを特徴とする受信状態表示装置。
【請求項２】
前記受信アンテナが前記人工衛星から受信する電波は、直交２偏波からなり、
前記選択信号生成手段は、外部からの指定に従って、偏波指定用の偏波選択信号の生成も行うことを特徴とする請求項１記載の受信状態表示装置。
【発明の詳細な説明】
【０００１】
【発明の属する技術分野】
本発明は、近接した二つの人工衛星からの電波を受信する受信アンテナの受信状態を検出して表示する受信状態表示装置に関する。
【０００２】
【従来の技術】
従来より、直交２偏波の電波を用いて放送サービス等を提供する２つの人工衛星（例えばＪＣＳＡＴ３号（ParfecTV）とＪＣＳＡＴ４号（スカイ）等）からの電波を、一つの反射鏡にて受信し、いずれかの人工衛星からのいずれかの偏波についての受信信号を選択的に出力するいわゆる２ビーム型受信アンテナが知られている。
【０００３】
この２ビーム型受信アンテナでは、両人工衛星からの電波を、いずれも良好に受信するためには、受信アンテナの向き（仰角や方位角）の調整が必要となる。
このような受信アンテナの向きの調整に好適な装置として、本願出願人は、既に、両人工衛星からの電波を順次切り替えて連続的に受信し、その受信レベルを２つのバーグラフにて、同時に表示する受信状態表示装置（特開平１１−３０８１８２号公報を参照）を提案している。
【０００４】
この装置を用いれば、両人工衛星からの電波の受信レベルが等しくなるように、２つのバーグラフを見較べながら受信アンテナの向きを調整すればよく、いずれか一方の人工衛星からの受信レベルしか表示できない従来の受信状態表示装置のように、両人工衛星の受信レベルを比較する際に表示の切替を行う必要がないため、調整作業の作業性を格段に向上させることができる。
【０００５】
【発明が解決しようとする課題】
しかし、２つの受信レベルを同時に表示する上述の装置でも、次のような問題点があった。
即ち、両人工衛星からの電波の受信レベルが等しくなる受信アンテナの向きが、必ずしも最良であるとは限らず、受信レベルが同じであっても、それがノイズレベルである場合があり、表示されている受信レベルが、ノイズに基づくものか、人工衛星からの電波の受信信号に基づくものかを判断しなければならないため、余分な手間を要してしまうのである。
【０００６】
そこで本発明は、上記問題点を解決するために、二つの人工衛星からの電波を同時に受信する受信アンテナの向きを調整する際に、受信アンテナの向きの最良ポイントをより簡単に見つけることが可能な受信状態表示装置を提供することを目的とする。
【０００７】
【課題を解決するための手段】
上記目的を達成するための発明である請求項１に記載の受信状態表示装置においては、選択信号生成手段が生成する衛星選択信号を受信アンテナに供給すると、受信アンテナからは、この受信アンテナが電波を同時に受信する二つの人工衛星について、両人工衛星からの電波の受信信号が衛星選択信号に従って交互に出力される。
【０００８】
この受信アンテナが出力する受信信号から、選局手段が、予め設定された指定チャンネルの信号を抽出し、レベル検出手段が、抽出された信号の信号レベを検出する。そして、表示レベル算出手段が、レベル検出手段にて検出された両人工衛星の信号レベル（受信レベルともいう）に基づき、両信号レベルの加算値から両信号レベルの差分を減じることにより表示レベルを算出し、表示手段が、この算出された表示レベルを受信信号の受信状態として表示する。
【０００９】
即ち、両人工衛星からの電波の受信レベルをＬＶ１，ＬＶ２とすると、表示レベルＬＶＤは、次の（１）式にて表すことができ、両人工衛星の受信レベルの合計｜ＬＶ１＋ＬＶ２｜が大きいほど、また、両人工衛星間の受信レベルの差分｜ＬＶ１−ＬＶ２｜が小さいほど、表示レベルＬＶＤは大きくなる。
【００１０】
ＬＶＤ＝｜ＬＶ１＋ＬＶ２｜−｜ＬＶ１−ＬＶ２｜          （１）
例えば、▲１▼両受信レベルＬＶ１，ＬＶ２がいずれもノイズに基づく大きさのノイズレベル（例えば６０ｄＢμ）である場合、▲２▼両受信レベルＬＶ１，ＬＶ２がいずれも電波の受信信号に基づく大きさの信号レベル（例えば８０ｄＢμ）である場合、▲３▼一方の受信レベルＬＶ１が信号レベル、他方の受信レベルＬＶ２がノイズレベルである場合を比較すると、表示レベルＬＶＤは、それぞれ▲１▼１２０ｄＢμ、▲２▼１６０ｄＢμ、▲３▼１２０ｄＢμとなる。
【００１１】
つまり、表示レベルＬＶＤの大きさは、両受信レベルＬＶ１，ＬＶ２とも同じ大きさの信号レベルである場合（▲２▼の場合）と、それ以外の場合（▲１▼▲３▼の場合）とで、明確に差が表れることになる。
なお、ここではｄＢμという単位を用いているが、単にレベルの大小を表す数値にて表現してもよい。
【００１２】
また、（１）式を用いる代わりに、両信号レベルの加算値をＭ倍し、両信号レベルの差分をＮ倍した（１ａ）式を用いたり、それぞれ２乗した（１ｂ）式を用いる等して表示レベルＬＶＤを算出してもよい。
ＬＶＤ＝Ｍ｜ＬＶ１＋ＬＶ２｜−Ｎ｜ＬＶ１−ＬＶ２｜      （１ａ）
ＬＶＤ＝｜ＬＶ１＋ＬＶ２｜2 −｜ＬＶ１−ＬＶ２｜2       （１ｂ）
この場合、表示レベルＬＶＤの感度をより高くすることができる。
【００１３】
従って、本発明の受信状態表示装置によれば、表示手段にて表示される表示レベルが最大となるように受信アンテナの向きを調整すればよく、表示されたレベルが受信信号に基づくものであるか否かの判定を行う必要がないため、調整作業の手間をより一層削減することができ、調整作業の作業性を向上させることができる。
【００１４】
なお、選局手段が抽出する指定チャンネルは、固定的に設定されていてもよいし、使用者が任意に設定するようにしてもよい。
ところで、受信アンテナが受信する人工衛星からの電波が、直交２偏波からなる場合には、受信アンテナの向きだけでなく、各受信アンテナにて両偏波の受信状態が最適となるようコンバータの傾き調整を行う必要がある。
【００１５】
そこで、このように電波が直交２偏波からなる場合には、請求項２記載のように、選択信号生成手段は、衛星選択信号の生成だけでなく、外部からの指定に従って、偏波指定用の偏波選択信号の生成も行うようにし、任意の偏波について、受信状態を表示できるようにすることが望ましい。
【００１６】
この場合、受信アンテナの方位調整と共に、コンバータの傾き調整も一緒に行うことができ、調整作業の作業性をより一層向上させることができる。
【００１７】
【発明の実施の形態】
以下に本発明の実施形態を図面と共に説明する。
図１は、２つの人工衛星（以下、衛星Ａ，衛星Ｂとよぶ）からそれぞれ送出される直交２偏波の電波を受信する受信アンテナ２からの受信信号を受け、その受信状態を表示する本実施形態の受信状態検出装置１０全体の構成を表すブロック図である。
【００１８】
図１に示すように、受信アンテナ２としてオフセット型のパラボラアンテナが用いられており、受信アンテナ２の反射鏡４は、当該受信アンテナ２を屋根や地面の上に固定するための固定台７に立設された支柱６に、反射鏡４の仰角及び方位角，場合によっては回転角を調整可能な支持具（図示せず）を介して取り付けられている。また支持具には、反射鏡４により集波された各衛星Ａ，Ｂからの垂直及び水平偏波の電波をそれぞれ受信し、いずれかの偏波信号を所定周波数帯（９５０〜２１５０ＭＨｚ）の第１中間周波信号（ＲＦ信号）に変換して出力するコンバータ３０が支持腕８を介して取り付けられている。
【００１９】
そして、このコンバータ３０には、図２に示すように、反射鏡４により集波され円形導波管３２により導かれた衛星Ａからの垂直及び水平偏波をプローブＰ１，Ｐ２を介して受波する第１受波部３４と、同じく反射鏡４により集波され円形導波管３３に導かれた衛星Ｂからの垂直及び水平偏波をプローブＰ３，Ｐ４を介して受波する第２受波部３５とが設けられている。
【００２０】
このうち第１受波部３４は、プローブＰ１，Ｐ２からの出力信号、即ち垂直及び水平偏波信号をそれぞれ増幅する垂直偏波信号増幅回路３４ａ，及び水平偏波信号増幅回路３４ｂと、各偏波信号増幅回路３４ａ，３４ｂからの出力信号を混合する混合回路３４ｃとを備えている。一方、第２受波部３５は、第１受波部３４と全く同様の構成をしており、プローブＰ３，Ｐ４からの垂直及び水平偏波信号をそれぞれ増幅する垂直偏波信号増幅回路３５ａ，及び水平偏波信号増幅回路３５ｂと、各偏波信号増幅回路３５ａ，３５ｂからの出力信号を混合する混合回路３５ｃとを備えている。
【００２１】
なお、各偏波信号増幅回路３４ａ，３４ｂ，３５ａ，３５ｂは、正負の電源電圧を受けて動作する高電子移動度トランジスタ（ＨＥＭＴ）を中心に構成された周知の低雑音増幅回路からなり、両受波部３４，３５の各垂直偏波信号増幅回路３４ａ，３５ａには正電源＋Ｖｖ，各水平偏波信号増幅回路３４ｂ，３５ｂには正電源＋Ｖｈが印加され、また、第１受波部３４の両偏波信号増幅回路３４ａ，３４ｂには負電源−Ｖａ，第２受波部３５の両偏波信号増幅回路３５ａ，３５ｂには負電源−Ｖｂが印加されている。そして、後述の正電源供給回路４５から正電源＋Ｖｖ，＋Ｖｈのいずれか一方、及び後述の負電源供給回路４６から負電源−Ｖａ，−Ｖｂのいずれか一方をそれぞれ供給し、これら供給される正負電源の組み合わせに従って、正負両電源が印加される偏波信号増幅回路３４ａ，３４ｂ，３５ａ，３５ｂのいずれか一つを選択的に駆動するようにされている。
【００２２】
また、コンバータ３０は、各受波部３４，３５からの出力信号を混合する混合回路３６と、混合回路３６からの出力信号を増幅する高周波増幅回路３７と、高周波増幅回路３７からの出力信号を、局部発振回路３８からの出力信号と混合し周波数変換して前述のＲＦ信号を生成するミキサ３９と、ミキサ３９が生成したＲＦ信号を増幅する中間周波増幅回路４０とを備え、この増幅されたＲＦ信号が、直流遮断用のコンデンサ４１、入出力端子４２を介して伝送線９（図１参照）に出力されるように構成されている。
【００２３】
更に、コンバータ３０は、コンデンサＣ１，Ｃ２及びコイルＬからなり、伝送線９を介して入出力端子４２に印加される入力から直流成分のみを抽出するローパスフィルタ４３と、ローパスフィルタ４３の出力に基づいて、当該コンバータ３０の各部を駆動するための正電源＋Ｖｃ及び負電源−Ｖｃを生成する定電圧回路４４と、第１及び第２受波部３４，３５に正電源＋Ｖｖ，＋Ｖｈのいずれかを供給する正電源供給回路４５と、第１及び第２受波部３４，３５に負電源−Ｖａ，−Ｖｂのいずれかを供給する負電源供給回路４６と、ローパスフィルタ４３の出力電圧（以下、給電電圧という）を予め設定された比較電圧（本実施形態では１３Ｖ）とを比較し、比較電圧より小さければ正電源＋Ｖｖ，比較電圧以上であれば正電源＋Ｖｈが供給されるよう正電源供給回路４５を制御する偏波切換制御回路４７と、入出力端子４２に印加される入力に、トーン信号（３２ｋ〜５３ｋＨｚ）が重畳されているか否かを判断し、重畳されていれば負電源−Ｖａ，重畳されていなければ負電源−Ｖｂが供給されるよう負電源供給回路４６を制御する衛星切換制御回路４８とを備えている。
【００２４】
即ち、コンバータ３０では、入出力端子４２からの入力にトーン信号が重畳されているか否かにより、衛星Ａ，Ｂのいずれかを指定すると共に、給電電圧が比較電圧より小さいか否かにより、垂直或いは水平偏波のいずれかを指定し、この指定衛星からの指定偏波を受信してＲＦ信号に変換したものを入出力端子４２から出力するようにされている。
【００２５】
なお、正電源供給回路４５，負電源供給回路４６，偏波切換制御回路４７，衛星切換制御回路４８は、例えば、特開平４−１３５３２８号公報や特開平９−１７１０４３号公報等に記載された周知のものであるため、その詳細についての説明は、ここでは省略する。
【００２６】
次に、本実施形態の受信状態表示装置１０は、図１に示すように、入出力端子１１を介して伝送線９にコンバータ３０の電源となる直流成分を印加すると共に、伝送線９を介して入力されるコンバータ３０からのＲＦ信号を直流成分から分離する電源分離フィルタ１２と、電源分離フィルタ１２にて分離されたＲＦ信号を、利得制御信号Ｓｇに従って増幅，減衰する可変増幅器２３と、選局信号Ｓｓにて指定されるＲＦ信号中の特定チャンネルの信号を４００ＭＨｚ帯（中心周波数４０２．７８ＭＨｚ；出力周波数に相当）の第２中間周波信号（ＩＦ信号）に変換して出力する選局回路１３と、選局回路１３からのＩＦ信号を復調する復調回路１４と、復調回路１４にて生成された復調信号の電圧レベル（即ち選局回路１３が選局したチャンネルの信号レベル）をデジタル値に変換するＡ／Ｄコンバータ１５とを備えている。
【００２７】
なお、可変増幅器２３は、ＲＦ信号を復調回路１４が処理可能な信号レベルに変換するためのものであり、復調回路１４のダイナミックレンジが十分に広い場合には、省略してもよい。
また、受信状態表示装置１０は、受信状態の表示対象となる衛星，偏波，チャンネル、及び後述する動作モード等を指定するための操作部１６と、液晶表示パネル等からなる表示装置１７と、この表示装置１７を駆動する表示制御回路１８と、コンバータ３０へ供給する直流成分を生成し、その電圧（給電電圧）を、偏波切換信号Ｓｖに従って、水平偏波指定用の高電圧（本実施形態では１５Ｖ）或いは垂直偏波選択用の低電圧（本実施形態では１１Ｖ）のいずれかに設定する電圧発生回路１９と、衛星切換信号Ｓｔに従って、トーン信号を発生させるトーン信号発生回路２０と、電圧発生回路１９が生成する直流成分に、トーン信号を重畳して電源分離フィルタに供給する信号重畳回路２１と、ＣＰＵ，ＲＯＭ，ＲＡＭを中心に構成された周知のマイクロコンピュータからなり、操作部１６での操作に従って利得制御信号Ｓｇ，選局信号Ｓｓ，偏波切換信号Ｓｖ，衛星切換信号Ｓｔを設定し、Ａ／Ｄコンバータ１５を介して読み込んだ電圧レベルに基づき、指定された表示モードに従って受信状態等を表示制御回路１８を介して表示装置１７に表示させる表示制御を実行する制御回路２２とを備えている。
【００２８】
なお、信号重畳回路２１は、トランジスタＴＲ１，抵抗Ｒ１，Ｒ２からなり、電圧発生回路１９から電源分離フィルタ１２への給電経路を断続する第１スイッチング回路と、給電方向を順方向としてトランジスタＴＲ１に並列接続されたダイオードＤと、トランジスタＴＲ２，抵抗Ｒ３，Ｒ４からなり、トーン信号発生回路２０が出力するトーン信号に従って、第１スイッチング回路をオン／オフ制御する第２スイッチング回路とからなる。
【００２９】
そして、トーン信号発生回路２０の出力がHighレベルの場合、第１及び第２スイッチング回路（即ちトランジスタＴＲ１，ＴＲ２）がいずれもオン状態となるため、電源分離フィルタ１２に供給される給電電圧は、電圧発生回路１９の出力電圧より、トランジスタＴＲ１のコレクタ−エミッタ間電圧での電圧降下（０．１〜０．３Ｖ）分だけ小さいものとなる。一方、トーン信号発生回路２０の出力がLow レベルの場合、第１及び第２スイッチング回路がいずれもオフ状態となるため、電源分離フィルタ１２に供給される給電電圧は、電圧発生回路１９の出力電圧より、ダイオードＤの順方向電圧（０．７〜０．９Ｖ）分だけ小さいものとなる。
【００３０】
このため、トーン信号発生回路２０からトーン信号が出力されている時には、電圧発生回路１９が出力する直流成分に、振幅が０．６±０．２［Ｖ］のトーン信号が重畳されたものが、電源分離フィルタ１２に供給されることになる。そして、上述のように、衛星Ａを指定する場合にはトーン信号を重畳し、衛星Ｂを指定する場合にはトーン信号を重畳しないようにされ、また、水平偏波を指定する場合には給電電圧を１５Ｖとし、垂直偏波を指定する場合には給電電圧を１１Ｖとするようにされているので、これらを組み合わせた各場合における信号重畳回路２１の出力波形、即ち、伝送線９を介してコンバータ３０に供給される成分の波形は、図３に示すようなものとなる。
【００３１】
ここで、図４は、表示装置１７における実際の表示内容を表したものであり、図示するように、表示装置１７には、受信状態を表示するように指定された衛星の種類，偏波の種類，選局チャンネルが表示されると共に、受信状態として、選局チャンネルの信号レベルがｄＢμ単位で数値表示及びアナログ的にバー表示されるように構成されている。
【００３２】
但し、操作部１６にて設定される動作モードとしては、いずれか一方の衛星のいずれか一方の偏波についての信号レベルを表示する個別モードと、いずれか一方の偏波について、両衛星の受信状態を反映した信号レベルを表示する比較モードとがある。そして、比較モードの場合には、衛星の種類が表示されるエリアに、比較モードである旨が表示される。
【００３３】
次に、制御回路２２にて実行される表示制御を、各動作モード毎に説明する。
まず、個別モード時に実行される表示制御を、図５に示すフローチャートに沿って説明する。なお、本処理が開始される前に、操作部１６を介して、受信状態を表示すべき衛星の種類，偏波の種類，チャンネルが設定され、その設定内容がＲＡＭの所定エリアに格納されているものとする。また、本処理は、一旦起動されると、以後、繰り返し実行されるが、実行中に操作部１６を介して、上記設定が変更された場合には、その変更に応じてＲＡＭの格納値が更新されるものとする。
【００３４】
図５に示すように、本処理が起動されると、まずＳ１１０（以下「Ｓ」はステップを表す）にて、予めＲＡＭに格納された設定内容を読み込む。
続くＳ１２０では、Ｓ１１０にて読み込んだ設定内容に基づき、衛星の種類として衛星Ａが指定されているか否かを判断し、肯定判定された場合には、Ｓ１３０に移行して、トーン信号発生回路２０からトーン信号が出力されるよう衛星切換信号Ｓｔを設定した後、Ｓ１５０に進む。一方、Ｓ１２０にて否定判定された場合には、Ｓ１４０に移行して、トーン信号発生回路２０からトーン信号が出力されないよう衛星切換信号Ｓｔを設定した後、Ｓ１５０に進む。
【００３５】
Ｓ１５０では、Ｓ１１０にて読み込んだ設定内容に基づき、偏波の種類として水平偏波が指定されているか否かを判断し、肯定判定された場合には、Ｓ１６０に移行して、電圧発生回路１９からの給電電圧が高電圧（１５Ｖ）となるよう偏波切換信号Ｓｖを設定した後、Ｓ１８０に進む。一方、Ｓ１５０にて否定判定された場合には、Ｓ１７０に移行して、電圧発生回路１９からの給電電圧が低電圧（１１Ｖ）となるよう偏波切換信号Ｓｖを設定した後、Ｓ１８０に進む。
【００３６】
このように、設定内容の衛星及び偏波の指定に従って、トーン信号の有無，及び給電電圧の大きさを設定し、受信アンテナ２のコンバータ３０への給電を行うことにより、コンバータ３０からは、指定衛星からの指定偏波の電波を受信してなるＲＦ信号が供給される。
【００３７】
そして、Ｓ１８０では、Ｓ１１０にて読み込んだ設定内容に基づき、ＲＦ信号の中から、指定されたチャンネルの信号が選局回路１３にて選局されＩＦ信号に変換されるよう選局信号Ｓｓを設定し、続くＳ１９０では、選局回路１３からのＩＦ信号を復調回路１４にて復調してなる復調信号の電圧レベルを、Ａ／Ｄコンバータ１５から読み込み、次のＳ２００にて、この読み込んだ電圧レベル（「受信レベル」ともいう）を、決められた単位（ｄＢμ）の値に変換し、Ｓ１１０で読み込んだ設定内容と共に表示装置１７に表示して、本処理を終了する。なお、表示装置１７での表示内容は、次にＳ２００が実行されるまで保持され、Ｓ２００が実行される毎に更新される。
【００３８】
次に、比較モード時に実行される表示制御を、図６に示すフローチャートに沿って説明する。なお、個別モード時と同様に、本処理が開始される前に、操作部１６を介して、受信状態を表示すべき衛星の種類，偏波の種類，チャンネルが設定され、その設定内容がＲＡＭの所定エリアに格納されているものとする。
【００３９】
図６に示すように、本処理が起動されると、まずＳ２１０では、先のＳ１１０と同様に、予めＲＡＭに格納された設定内容を読み込む。但し、比較モードでは、衛星の種類は無視され、偏波の種類、及びチャンネルのみが読み込まれる。
続くＳ２２０では、Ｓ２１０にて読み込んだ設定内容に基づき、偏波の種類として水平偏波が指定されているか否かを判断し、肯定判断された場合には、Ｓ２３０に移行して、電圧発生回路１９からの給電電圧が高電圧（１５Ｖ）となるよう偏波切換信号Ｓｖを設定した後、Ｓ２５０に進む。一方、Ｓ２２０にて否定判定された場合には、Ｓ２４０に移行して、電圧発生回路１９からの給電電圧が低電圧（１１Ｖ）となるよう偏波切換信号Ｓｖを設定した後、Ｓ２５０に進む。
【００４０】
Ｓ２５０では、トーン信号発生回路２０からトーン信号が出力されるよう、即ち衛星Ａからの電波を受信するように衛星切換信号Ｓｔを設定し、続くＳ２６０，Ｓ２７０では、先のＳ１８０，Ｓ１９０と全く同様に、選局信号Ｓｓの設定と、復調信号の電圧レベル（即ち、受信レベル）ＬＶ１の読込を行う。
【００４１】
続くＳ２８０では、トーン信号発生回路２０からトーン信号が出力されないよう、即ち衛星Ｂからの電波を受信するように衛星切換信号Ｓｔを設定し、続くＳ２９０，Ｓ３００では、先のＳ１８０，Ｓ１９０と全く同様に、選局信号Ｓｓの設定と、復調信号の電圧レベル（即ち、受信レベル）ＬＶ２の読込を行う。そして、Ｓ３１０では、Ｓ２７０及びＳ３００にて読み込んだ受信レベルＬＶ１，ＬＶ２を、決められた単位（ｄＢμ）の値に変換し、更に、次の（２）式に従って表示レベルＬＶＤを算出する。
【００４２】
ＬＶＤ＝｜ＬＶ１＋ＬＶ２｜−｜ＬＶ１−ＬＶ２｜          （２）
即ち、両受信レベルの加算値｜ＬＶ１＋ＬＶ２｜から、両受信レベルの差分｜ＬＶ１−ＬＶ２｜を減算したものが表示レベルＬＶＤとなる。
続くＳ３２０では、Ｓ３１０にて算出された表示レベルＬＶＤを、Ｓ２１０で読み込んだ設定内容と共に表示装置１７に表示して、本処理を終了する。なお、表示装置１７での表示内容は、次にＳ３１０が実行されるまで保持され、Ｓ３１０が実行される毎に更新される。
【００４３】
なお、表示レベルＬＶＤは、本来の信号レベルとは異なるため、衛星Ａ，Ｂからの電波を本当に受信しているか否かについて、使用者が不安感を持つ可能性がある。そこで、表示レベルＬＶＤはバー表示のみに適用し、いずれかの受信レベルＬＶ１，ＬＶ２を数値表示するようにしてもよい。
【００４４】
以上説明したように、本実施形態の受信状態表示装置１０によれば、個別モードで動作させることにより、所望人工衛星の所望偏波についての受信レベルを個別に表示できるだけでなく、比較モードで動作させることにより、両衛星Ａ，Ｂの受信レベルＬＶ１，ＬＶ２を反映して、両受信レベルＬＶ１，ＬＶ２が大きいほど、また、両受信レベルＬＶ１，ＬＶ２の差が小さいほど、値が大きくなる表示レベルＬＶＤを表示することができる。
【００４５】
このため、本実施形態の受信状態表示装置１０を比較モードにて用いれば、２つの衛星Ａ，Ｂから直交２偏波の電波を受信する受信アンテナ２の方位及び偏波面の調整を、以下の手順で行うことができる。
手順▲１▼．まず、予め設定された図表に従って、受信地域に対応したコンバータ３０の取付角度を求め、求めた取付角度に従ってコンバータ３０を支持腕８に仮止めする。
【００４６】
手順▲２▼．予め設定された図表に従って、受信地域に対応した受信アンテナ２（反射鏡４）の仰角を求め、求めた仰角となるように支持具にて受信アンテナ２を仮止めする。
手順▲３▼．受信状態表示装置１０の操作部１６から、動作モード（ここでは比較モード），受信状態を表示すべき偏波，チャンネルを設定し、表示制御を開始させて、指定したチャンネルの表示レベルＬＶＤを表示装置１７に表示させる。
【００４７】
以後、受信アンテナ２を支柱６を軸にして回動させ方位角を変化させると、この回動に伴って受信状態が変化し、表示装置１７の表示レベルＬＶＤの値も変化する。
手順▲４▼．表示装置１７に表示された表示レベルＬＶＤを確認しながら、そのレベルが最大（ピーク）となるよう、受信アンテナ２の方位角を調整し、支持具にて受信アンテナ２を固定する。
【００４８】
手順▲５▼．操作部１６を操作して偏波及びチャンネルの指定を切り換え、両偏波とも良好な信号レベルが得られるようコンバータ３０の傾きを調整し、コンバータ３０を支持腕８に固定する。
このように、本実施形態の受信状態表示装置１０を用いれば、表示装置１７に表示される表示レベルＬＶＤが、ピークとなるように受信アンテナ２の向きを調整するだけで、衛星Ａ，Ｂからの電波がいずれも良好な受信状態となる向きを簡単に見つけることができる。
【００４９】
ここで、図７は、信号レベルの実測値、及び比較モードでの動作時に、その実測値から求められた表示レベルＬＶＤを表すグラフである。
但し、ここでは、受信アンテナ２は、ＪＣＳＡＴ３号及びＪＣＳＡＴ４号からの電波を受信するように仰角を設定し、方位角を変化させて測定した。図示のように、ノイズレベル（約６０ｄＢμ）より大きく、且つ両人工衛星からの受信レベルが等しくなるポイント（図中では角度０°とした）にて、表示レベルＬＶＤがピークとなっている。
【００５０】
このグラフでは、方位角が−３０°の近傍でも表示レベルＬＶＤのピークが現れているが、これは、他の人工衛星（ここではスーパーバードＣとＪＣＳＡＴ１号）からの電波に基づくものである。しかし、この表示レベルＬＶＤは、目標とする人工衛星からの電波に基づくピークより小さく、また、方位角として約３０°も異なっているため、実際の調整時に誤って位置合わせする可能性は極めて低い。
【００５１】
なお、本実施形態において、電圧発生回路１９，信号重畳回路２１及びＳ２５０，Ｓ２８０が選択信号生成手段、選局回路１３及びＳ１８０が選局手段、Ａ／Ｄコンバータ１５及びＳ２７０，Ｓ３００がレベル検出手段、Ｓ３１０が表示レベル算出手段、表示装置１７，表示制御回路１８及びＳ３２０が表示手段に相当する。
【００５２】
以上、本発明の実施形態について説明したが、本発明は上記実施形態に限定されるものではなく、様々な態様にて実施することができる。
例えば、上記実施形態では、比較モードの場合、信号レベルの実測値から算出された表示レベルのみを表示しているが、信号レベルの実測値も、表示レベルと同時に、或いは切換操作を行うことにより表示するように構成してもよい。
【００５３】
また、上記実施形態では、表示装置１７として当該受信状態表示装置１０に内蔵されたものを用いているが、この受信状態の情報を画像情報に変換して映像信号を生成し、この映像信号を、外部のテレビ受像機等に入力して表示させるようにしてもよい。
【００５４】
更に、上記実施形態では、比較モードでの動作時に、いずれか一方の偏波についてのみ表示レベルＬＶＤが表示されるように構成されているが、表示制御において衛星（トーン信号）の切替だけでなく、偏波（給電電圧）の切替も自動的に行い、両偏波の表示レベルＬＶＤを同時に表示するように構成してもよい。
【図面の簡単な説明】
【図１】  実施形態の受信状態表示装置全体の構成を表すブロック図である。
【図２】  コンバータの概略構成を表すブロック図である。
【図３】  信号重畳回路の出力波形を表すグラフである。
【図４】  表示装置での表示内容を表す説明図である。
【図５】  表示制御（個別モード）の処理内容を表すフローチャートである。
【図６】  表示制御（比較モード）の処理内容を表すフローチャートである。
【図７】  信号レベルの実測値、及びその実測値から求めた表示レベルを表すグラフである。
【符号の説明】
２…受信アンテナ、４…反射鏡、６…支柱、７…固定台、８…支持腕、９…伝送線、１０…受信状態表示装置、１１，４２…入出力端子、１２…電源分離フィルタ、１３…選局回路、１４…復調回路、１５…Ａ／Ｄコンバータ、１６…操作部、１７…表示装置、１８…表示制御回路、１９…電圧発生回路、２０…トーン信号発生回路、２１…信号重畳回路、２２…制御回路、２３…可変増幅器、３０…コンバータ、３２，３３…円形導波管、３４…第１受波部、３５…第２受波部、３６…混合回路、３７…高周波増幅回路、３８…局部発振回路、３９…ミキサ、４０…中間周波増幅回路、４１…コンデンサ、４３…ローパスフィルタ、４４…定電圧回路、４５…正電源供給回路、４６…負電源供給回路、４７…偏波切換制御回路、４８…衛星切換制御回路、Ｐ１〜Ｐ４…プローブ、Ｒ１〜Ｒ４…抵抗、ＴＲ１，ＴＲ２…トランジスタ
【図１】
0004170552.tif 000002
【図２】
0004170552.tif 000003
【図３】
0004170552.tif 000004
【図４】
0004170552.tif 000005
【図５】
0004170552.tif 000006
【図６】
0004170552.tif 000007
【図７】
0004170552.tif 000008